(57)【要約】【課題】使用時の転写操作を安定して行え、転写テープの片浮きによる転写不良を効果的に防止し、ケース本体の握り方に汎用性を持たせる。【解決手段】ケース本体１を、底面２が紙などの被転写面Ｐに対して易滑性の平坦な摺動面をなして、掌の中に抱持可能なマウス型の外周形状とする。ケース本体１の前端底面２ａ側を、転写ヘッド１４が被転写面から浮上した状態に維持されるように、圧縮スプリング１６のばね力で被転写面から浮上させる。使用時に、ケース本体の前部上面１ａを、圧縮スプリングのばね力に抗して押動操作することにより、転写ヘッドが、被転写面に対する浮上状態から、被転写面に向けて当接しうるようにして、転写テープの塗膜を被転写面に転写可能にする。不使用時に、ケース本体の押動操作を開放することにより、転写ヘッドを被転写面から浮上させ、転写ヘッドによる被転写面への転写を中止する。【選択図】  図２
2009262347.tif 000002
【特許請求の範囲】
【請求項１】
ケース本体内に、供給リールの歯車と巻取リールの歯車とを互いに歯合させて設けるとともに、供給リールに巻回した転写テープを、ケース本体の前端開口に設けたヘッド部材の転写ヘッドを経て、巻取リールに巻き取るように転写機構が組み付けられた塗膜転写具において、
ケース本体を、底面が被転写面に対して易滑性の平坦な摺動面をなすようにして、掌の中に抱持可能なマウス型の外周形状とするとともに、その前端底面側を、前記転写ヘッドが被転写面から浮上した状態に維持されるように、付勢体の付勢力でもって被転写面から浮上させ、かつ
使用時には、ケース本体の前部上面を、付勢体の付勢力に抗して上方から下方に向けて押動操作することにより、ケース本体の前端底面側を被転写面に向けて下方に移動させて、転写ヘッドが、被転写面に対する浮上状態から、被転写面に向けて当接しうるようにして、転写テープの塗膜を被転写面に転写可能にするとともに、
不使用時には、ケース本体の押動操作を開放することにより、ケース本体の前端底面側が付勢体の付勢力により被転写面から浮上した状態に復帰させて、転写ヘッドを被転写面から浮上させ、転写ヘッドによる被転写面への転写を中止しうるようにしたことを特徴とする塗膜転写具。
【請求項２】
ケース本体の前端底面側を、圧縮スプリングのばね力でもって突出可能にした摺動突起により、被転写面から浮上した状態に維持させるとともに、使用時に、ケース本体の前部上面を、圧縮スプリングのばね力に抗して上方から下方に向けて押動操作することにより、摺動突起をケース本体内に埋没させて、転写ヘッドが被転写面に当接しうるようにし、かつ不使用時には、ケース本体の押動操作を開放することにより、摺動突起を、圧縮スプリングのばね力をもってケース本体の前端底面から突出させて、転写ヘッドが被転写面から離間した状態に復帰しうるようにした請求項１記載の塗膜転写具。
【請求項３】
互いに噛合された供給リール用の第１歯車と巻取リール用の第２歯車とが設けられ、かつ前端を開口させたカートリッジ収容ケース本体と、このカートリッジ収容ケース本体内に着脱可能に装填され、かつ被転写面への転写機構が備えられた転写カートリッジとを有し、
前記カートリッジ収容ケース本体は、底面が被転写面に対して易滑性の平坦な摺動面をなすようにして、掌の中に抱持可能なマウス型の外周形状とするとともに、
前記転写カートリッジは、前端に転写ヘッドが設けられ、かつ前記カートリッジ収容ケース本体の前端開口から外部に向け突出させたヘッド部材と、前記第１歯車に装填され、かつ転写テープが巻回された供給リールと、前記第２歯車に装填され、かつ前記供給リールに巻回された転写テープを前記ヘッド部材の転写ヘッドを経て巻き取る巻取リールとにより構成した転写機構を備え、
カートリッジ収容ケース本体の前端底面側を、前記転写ヘッドが被転写面から浮上した状態に維持されるように、付勢体の付勢力でもって被転写面から浮上させ、かつ、
使用時には、カートリッジ収容ケース本体の前部上面を、付勢体の付勢力に抗して上方から下方に向けて押動操作することにより、カートリッジ収容ケース本体の前端底面側を被転写面に向けて下方に移動させて、転写ヘッドが、被転写面に対する浮上状態から、被転写面に向けて当接しうるようにして、転写テープの塗膜を被転写面に転写可能にするとともに、
不使用時には、カートリッジ収容ケース本体の押動操作を開放することにより、カートリッジ収容ケース本体の前端底面側が付勢体の付勢力により被転写面から浮上した状態に復帰させて、転写ヘッドを被転写面から浮上させ、転写ヘッドによる被転写面への転写を中止しうるようにしたことを特徴とする塗膜転写具。
【請求項４】
転写ヘッドに、使用時におけるケース本体の押動操作に伴う被転写面への下向きの負荷に対して、転写ヘッドが弾性的に応動しうるためのクッション機構を付与した請求項１〜３のいずれかに記載の塗膜転写具。
【発明の詳細な説明】
【技術分野】
【０００１】
本発明は、修正塗膜や糊塗膜などを、被転写面に転写するための塗膜転写具に関する。
【背景技術】
【０００２】
塗膜転写具は、ケース本体内に、供給リールと巻取リールとを設け、供給リールに巻回した転写テープを、ケース本体の開口から突出させた転写ヘッドを経て、巻取リールに巻き取るようにしたものが公知である（例えば、特許文献１、２参照）。
【０００３】
しかし、特許文献１、２に記載の塗膜転写具は、使用時に、主としてケース本体の後半部だけを握って転写操作を行った場合、ケース本体が、必然的に浅く握られ、力点が後方になる。
そのため、ケース本体がぐらついて、転写操作が不安定になり、転写テープの浮きが生じ易く、転写不良の要因になる虞があるばかりでなく、ケース本体の握り方自体に汎用性がないという問題があった。
【特許文献１】特開２０００−０２６０１４号公報
【特許文献２】特開２０００−０３７９９１号公報
【発明の開示】
【発明が解決しようとする課題】
【０００４】
本発明は、前記の現状に鑑み、使用時の転写操作を安定して行うことができ、転写テープの片浮きによる転写不良を効果的に防止することができるとともに、ケース本体の握り方に汎用性を持たせることができるようにした塗膜転写具を提供することを目的とする。
【課題を解決するための手段】
【０００５】
上記課題は、「特許請求の範囲」における各請求項に記載するように、次のような構成からなる発明によって解決される。
【０００６】
（１）  ケース本体内に、供給リールの歯車と巻取リールの歯車とを互いに歯合させて設けるとともに、供給リールに巻回した転写テープを、ケース本体の前端開口に設けたヘッド部材の転写ヘッドを経て、巻取リールに巻き取るように転写機構が組み付けられた塗膜転写具において、ケース本体を、底面が被転写面に対して易滑性の平坦な摺動面をなすようにして、掌の中に抱持可能なマウス型の外周形状とするとともに、その前端底面側を、前記転写ヘッドが被転写面から浮上した状態に維持されるように、付勢体の付勢力でもって被転写面から浮上させ、かつ使用時には、ケース本体の前部上面を、付勢体の付勢力に抗して上方から下方に向けて押動操作することにより、ケース本体の前端底面側を被転写面に向けて下方に移動させて、転写ヘッドが、被転写面に対する浮上状態から、被転写面に向けて当接しうるようにして、転写テープの塗膜を被転写面に転写可能にするとともに、不使用時には、ケース本体の押動操作を開放することにより、ケース本体の前端底面側が付勢体の付勢力により被転写面から浮上した状態に復帰させて、転写ヘッドを被転写面から浮上させ、転写ヘッドによる被転写面への転写を中止しうるようにする。
【０００７】
（２）  上記（１）項において、ケース本体の前端底面側を、圧縮スプリングのばね力でもって突出可能にした摺動突起により、被転写面から浮上した状態に維持させるとともに、使用時に、ケース本体の前部上面を、圧縮スプリングのばね力に抗して上方から下方に向けて押動操作することにより、摺動突起をケース本体内に埋没させて、転写ヘッドが被転写面に当接しうるようにし、かつ不使用時には、ケース本体の押動操作を開放することにより、摺動突起を、圧縮スプリングのばね力をもってケース本体の前端底面から突出させて、転写ヘッドが被転写面から浮上した状態に復帰しうるようにする。
【０００８】
（３）  互いに噛合された供給リール用の第１歯車と巻取リール用の第２歯車とが設けられ、かつ前端を開口させたカートリッジ収容ケース本体と、このカートリッジ収容ケース本体内に着脱可能に装填され、かつ被転写面への転写機構が備えられた転写カートリッジとを有し、前記カートリッジ収容ケース本体は、底面が被転写面に対して易滑性の平坦な摺動面をなすようにして、掌の中に抱持可能なマウス型の外周形状とするとともに、前記転写カートリッジは、前端に転写ヘッドが設けられ、かつ前記カートリッジ収容ケース本体の前端開口から外部に向け突出させたヘッド部材と、前記第１歯車に装填され、かつ転写テープが巻回された供給リールと、前記第２歯車に装填され、かつ前記供給リールに巻回された転写テープを前記ヘッド部材の転写ヘッドを経て巻き取る巻取リールとにより構成した転写機構を備え、カートリッジ収容ケース本体の前端底面側を、前記転写ヘッドが被転写面から浮上した状態に維持されるように、付勢体の付勢力でもって被転写面から浮上させ、かつ、使用時には、カートリッジ収容ケース本体の前部上面を、付勢体の付勢力に抗して上方から下方に向けて押動操作することにより、カートリッジ収容ケース本体の前端底面側を被転写面に向けて下方に移動させて、転写ヘッドが、被転写面に対する浮上状態から、被転写面に向けて当接しうるようにして、転写テープの塗膜を被転写面に転写可能にするとともに、不使用時には、カートリッジ収容ケース本体の押動操作を開放することにより、カートリッジ収容ケース本体の前端底面側が付勢体の付勢力により被転写面から浮上した状態に復帰させて、転写ヘッドを被転写面から浮上させ、転写ヘッドによる被転写面への転写を中止しうるようにする。
【０００９】
（４）  上記（１）〜（３）項のいずれかにおいて、転写ヘッドに、使用時におけるケース本体の押動操作に伴う被転写面への下向きの負荷に対して、転写ヘッドが弾性的に応動しうるためのクッション機構を付与する。
【発明の効果】
【００１０】
本発明によると、各請求項に記載の発明においては、次のような効果がそれぞれ奏せられる。
【００１１】
請求項１記載の発明によると、ケース本体を、底面が被転写面に対して易滑性の平坦な摺動面をなすようにして、掌の中に抱持可能なマウス型の外周形状としてあるため、被転写面に対する摺動操作を円滑に行うことができるとともに、ケース本体を掌にフィットさせて握持することができ、これにより、使用時の転写操作を安定して行うことができる。
また、ケース本体の前端底面側を、転写ヘッドが被転写面から浮上した状態に維持されるように、付勢体の付勢力でもって被転写面から浮上させ、かつ使用時には、ケース本体の前部上面を、付勢体の付勢力に抗して上方から下方に向けて押動操作することにより、ケース本体の前端底面側を被転写面に向けて下方に移動させて、転写ヘッドが、被転写面に対する浮上状態から、被転写面に向けて当接しうるようにして、転写テープの塗膜を被転写面に転写可能にしてあるため、使用時に、ケース本体を押動操作する際に、ケース本体が、掌により必然的に深く握られ、力点が前方になる。
これにより、ケース本体がぐらつくことがなく、転写作業を安定して行えるとともに、転写テープの片浮きによる転写不良を効果的に防止することができる。
また、不使用時には、ケース本体の押動操作を開放することにより、ケース本体の前端底面側が付勢体の付勢力により被転写面から浮上した状態に復帰させて、転写ヘッドを被転写面から浮上させ、転写ヘッドによる被転写面への転写を中止しうるようにしてあるため、誤って他の個所に塗膜が転写されるのを防止することができる。
また、使用時に、ケース本体の前部上面を付勢体の付勢力に抗して上方から下方に向けて押動操作しながら、ケース本体を摺動させるだけでよいため、ケース本体全体を抱持するようにして操作するだけでなく、ケース本体の前部上面を指先だけで押して操作したり、指を握ったままの状態で押して操作したりすることもでき、ケース本体の握り方自体に汎用性を持たせることができる。
【００１２】
請求項２記載の発明によると、ケース本体の前端底面側を、圧縮スプリングのばね力でもって突出可能にした摺動突起により、被転写面から浮上した状態に維持させるとともに、使用時に、ケース本体の前部上面を、圧縮スプリングのばね力に抗して上方から下方に向けて押動操作することにより、摺動突起をケース本体内に埋没させて、転写ヘッドが被転写面に当接しうるようにし、かつ不使用時に、ケース本体の押動操作を開放することにより、摺動突起を、圧縮スプリングのばね力をもってケース本体の前端底面から突出させて、転写ヘッドが被転写面から浮上した状態に復帰させているため、使用時の転写作業を安定して行えるとともに、転写作業の中止時に、誤って他の個所に塗膜が転写されるのを防止することができる。
【００１３】
請求項３記載の発明によると、転写テープの交換作業を円滑に行うことができるとともに、前記（１）項と同様な効果を奏することができる。
【００１４】
請求項４記載の発明によると、転写ヘッドに、使用時におけるケース本体の押動操作に伴う被転写面への下向きの負荷に対して、転写ヘッドが弾性的に応動しうるためのクッション機構を付与してあるため、被転写面に対する転写ヘッドの過度の負荷を吸収することができるとともに、被転写面からの浮き上がりを防止することができ、転写作業を安定して行うことができる。
【発明を実施するための最良の形態】
【００１５】
以下、本発明の実施形態を、添付図面を参照して説明する。
図１は、本発明の第１実施形態における塗膜転写具の使用状態を示す斜視図、図２は、非転写時の塗膜転写具を一部破断して示す縦断面図、図３は、同じく、転写時の塗膜転写具を一部破断して示す縦断面図である。
なお、以下の説明において、図１に示すように、左下から右上に至る方向を「前後方向」、右下から左上に至る方向を「左右方向」とする。
【００１６】
本発明の塗膜転写具は、図１および図２に示すように、ＡＢＳ樹脂等の合成樹脂製からなるケース本体１を備える。
このケース本体１は、底面２が紙などの被転写面Ｐに対して易滑性の平坦な摺動面をなすようにして、掌の中に抱持可能なマウス型の外周形状を有する。
【００１７】
なお、本明細書において、「易滑性の平坦な摺動面」とは、本来の平坦な面のみならず、平坦な面に部分的に凹部を設けて、摩擦抵抗を減少させ、摺動を一層容易にした形態のものも含む。
また、「マウス型の外周形状」とは、使用の際に、ケース本体１を掌の中に抱持して、被転写面Ｐ上を所望の方向に容易に摺動させうるようなケース本体１の外周形状を称す。
【００１８】
ケース本体１内には、修正塗膜や糊塗膜等の塗膜が添設された転写テープ３Ａを巻回した供給リール４が軸５ａを介して装填された第１歯車５と、この第１歯車５に互いに噛合し、かつ転写後における塗膜剥離後の転写テープ３Ｂを巻き取る巻取リール６が軸７ａを介して装填された第２歯車７と、ケース本体１の前端開口８から前方に向けて突出させた左右１対のヘッド側板９、９間に設けたヘッド部材１０とからなる転写機構が備えられている。
【００１９】
なお、図示の実施例では、供給リール４用の第１歯車５と、巻取リール６用の第２歯車７とを、互いに直接的に噛合させたが、本明細書における「互いに噛合された供給リール４用の第１歯車５と、巻取リール６用の第２歯車７」とは、中間歯車を介して、前記の第１歯車５と第２歯車７が間接的に噛合する場合をも含めて指称する。
【００２０】
ヘッド部材１０は、左右のヘッド側板９、９の前端に、左右方向を向く水平軸１１の軸回りに回転自在に軸支されたローラ状の転写ヘッド１２でもって形成されているとともに、この転写ヘッド１２は、左右のヘッド側板９、９の下端から露出しうるようになっている。
【００２１】
ケース本体１の前端底面２ａ側には、左右１対の摺動突起１３が設けられ、これらの摺動突起１３は、圧縮スプリング１４のばね力でもって、ケース本体１の前端底面２ａから突出している。
すなわち、左右の摺動突起１４は、圧縮スプリング１４のばね力でもって、ケース本体１の前端底面２ａ側が、被転写面Ｐから浮上した状態に維持されるような機能を有している。
【００２２】
次に、本発明における塗膜転写具の操作手順を説明する。
使用開始時には、図１に示すように、掌の中に抱持可能なマウス型の外周形状を有するケース本体１を、掌で包み込むようにして握り、ケース本体１の底面２を紙面Ｐ上に当接して、ヘッド部材１０の転写ヘッド１２を、紙面Ｐ上の転写位置に合わせる。
このとき、ケース本体１の前端底面２ａは、圧縮スプリング１４のばね力でもって突出する左右の摺動突起１３によって、浮上した状態を維持しうるようになっているため、転写ヘッド１２は、図２に示すように、紙面Ｐ上から浮上した状態で待機している。
【００２３】
次いで、ケース本体１の前部上面１ａを下方に向けて押動操作すると、左右の摺動突起１３は、圧縮スプリング１４のばね力に抗してケース本体１の前端底面２ａ内に埋没しうるように上方に移動し、相対的にケース本体１の前端底面２ａが下方に向けて移動すると同時に、図３に示すように、転写ヘッド１２が紙面Ｐ上に当接される。
【００２４】
この状態で、ケース本体１を、塗膜の塗布方向である後方に向けて水平方向に摺動させることにより、転写テープ３Ａの塗膜を、紙面Ｐ上に転写させることができる。
このとき、ケース本体１の底面２が紙面Ｐに対して易滑性の平坦な摺動面をなすことから、紙面Ｐ上を安定して摺動させることが可能になる。
【００２５】
不使用時には、ケース本体１の押動操作を開放すると、左右の摺動突起１３は、圧縮スプリング１４のばね力により、ケース本体１の前端底面２ａから突出しうるように下方に向けて移動し、ケース本体１の前端底面２ａが紙面Ｐ上から浮上して、図２に示すように、転写ヘッド１２が紙面Ｐ上から浮上した状態に復帰し、転写を中止しうるようになっている。
【００２６】
図４は、本発明の第２実施形態における非転写時の塗膜転写具を一部破断して示す縦断面図、図５は、同じく、塗膜転写具の要部分解斜視図である。
【００２７】
この第２実施形態では、図４および図５に示すように、前記第１実施形態におけるケース本体１を、左右に分離可能にしてカートリッジ収容ケース本１５とし、このカートリッジ収容ケース本体１５を、後記する転写カートリッジ２１が着脱可能となるように構成するとともに、底面１６が被転写面Ｐに対して易滑性の平坦な摺動面をなすようにして、掌の中に抱持可能なマウス型の外周形状となっている。
【００２８】
カートリッジ収容ケース本体１５を構成するケース分離体１５Ａ、１５Ｂ内には、一方のケース分離体１５Ａの内面に、互いに噛合された供給リール用の装填軸１７を有する第１歯車１８と、巻取リール用の装填軸１９を有する第２歯車２０とが設けられているとともに、転写機構が備えられた転写カートリッジ２１を着脱可能に装填しうるようになっている。
【００２９】
転写カートリッジ２１は、支持基板２２に、供給リール２３と巻取リール２４とをそれぞれ前後方向に対向させて回転自在に設けるとともに、これら供給リール２３と巻取リール２４とが、カートリッジ収容ケース本体１５における一方のケース分離体１５Ａの内面に設けた装填軸１７、１９にそれぞれ装填されるようになっている。
【００３０】
支持基板２２の前端には、カートリッジ収容ケース１５の前端開口から外部に向け突出しうるように、前端に転写ヘッド２５を設けたヘッド部材２６が組み付けられている。
【００３１】
すなわち、この第２実施形態では、使用時において、カートリッジ収容ケース本体１５の前部上面１５ａを上方から下方に向けて押動操作することにより、カートリッジ収容ケース本体１５の前端底面１６ａ側に突出させて設けた左右の摺動突起２７を、圧縮スプリング２８のばね力に抗して、カートリッジ収容ケース本体１５内に埋没しうるように上方に移動させて、相対的にカートリッジ収容ケース本体１５の前端底面１６ａ側を被転写面Ｐに向けて下方に移動させる。
これにより、転写ヘッド２５が、被転写面Ｐに対する浮上状態から、被転写面Ｐに向けて当接しうるようにして、転写テープ２９の塗膜を被転写面Ｐに転写可能にする。
【００３２】
また、不使用時には、カートリッジ収容ケース本体１５の押動操作を開放することにより、カートリッジ収容ケース本体１５の前端底面１６ａ側が、圧縮スプリング２８のばね力により、被転写面Ｐから浮上した状態に復帰させて、転写ヘッド２５を被転写面Ｐから浮上させ、転写ヘッド２５による被転写面Ｐへの転写を中止しうるようにする。
【００３３】
なお、前記した各実施形態において、ケース本体１の底面２またはカートリッジ収容ケース本体１５の底面１６を易滑性化するには、易滑性樹脂膜のコーティングを施すか、易滑性テープを貼着するか、あるいはコロ等の転動体を装着することにより行われる。
また、カートリッジ収容ケース本体１５を左右に分割し、これらケース分離体１５Ａ、１５Ｂを左右方向に分離可能に組み付けるようにしたが、左右のケース分離体１５Ａ、１５Ｂの下端を互いにヒンジ結合して、左右に開くようにして、転写カートリッジ２１を装填しうるようにしてもよい。
【００３４】
図６は、本発明の第３実施形態における転写時の塗膜転写具を一部破断して示すヘッド近傍の要部拡大側面図である。
【００３５】
この第３実施形態では、図６に示すように、ヘッド部材３０を、前半部３０Ａと後半部３０Ｂとに分離して、これら前後両半部３０Ａ、３０Ｂを左右方向の水平軸３１でもって回動自在に連結するとともに、ヘッド部材３０における前半部３０Ａの前端には、左右方向を向く水平軸３２の軸回りに、ローラ状の転写ヘッド３３が回転自在に軸支されている。
【００３６】
ヘッド部材３０の前後両半部３０Ａ、３０Ｂ間には、圧縮スプリング３４が設けられ、この圧縮スプリング３４のばね力により、前記前半部３０Ａを前方に向けて回動しうるように付勢されている。
これにより、転写ヘッド３３には、図６に実線矢印で示すように、被転写面Ｐへのケース本体３５の下方への押動操作に伴う使用時において、例えばケース本体３５の後部が持ち上がるように操作されたときに、転写ヘッド３３に掛かる下向きの負荷に対して、ヘッド部材３０の前半部３０Ａが、圧縮スプリング３４のばね力に抗して、上向きに弾性的に応動しうるように時計回り方向に回動可能なクッション機構が付与されるようにする。
そのため、使用時の転写ヘッド３３に掛かる被転写面Ｐに対する過度の負荷が吸収されるとともに、被転写面Ｐからの浮き上がりを効果的に防止することが可能になる。
【００３７】
図７は、本発明における第４実施形態の塗膜転写具を一部破断して示す非転写時の側面図、図８は、図７におけるVIII−VIII線の転写機構を省略して示す縦断面図である。
【００３８】
第４実施形態においては、図７および図８に示すように、ケース本体３６における底面３７の前端底面３７ａを下向き移動可能に浮上させる手段として、圧縮スプリング３８によって下方に向けてそれぞれ付勢された突没自在な左右の突起３９、３９間に、紙面Ｐ上に接地される摺動板４０を架設する。
そして、使用時には、図７に想像線で示すように、ケース本体３６の前部上面３６ａを上方から紙面Ｐ上に向けて押動操作した際に、ケース本体３６の前端底面３７ａに左右方向に向けて形成した凹部４１に、前記摺動板４０を、その下面４０ａがケース本体３６の前端底面３７ａと面一状態で収容されるように構成したものである。
【００３９】
なお、前記した実施形態においては、ケース本体の浮上手段における付勢体として、圧縮スプリングのばね力を利用したが、たとえば板ばねなどを用いることも可能である。
【図面の簡単な説明】
【００４０】
【図１】本発明の第１実施形態における塗膜転写具の使用状態を示す斜視図である。
【図２】非転写時の塗膜転写具を一部破断して示す縦断面図である。
【図３】同じく、転写時の塗膜転写具を一部破断して示す縦断面図である。
【図４】本発明の第２実施形態における非転写時の塗膜転写具を一部破断して示す縦断面図である。
【図５】同じく、塗膜転写具の要部分解斜視図である。
【図６】本発明の第３実施形態における転写時の塗膜転写具を一部破断して示すヘッド近傍の要部拡大側面図である。
【図７】本発明における第４実施形態の塗膜転写具を一部破断して示す非転写時の側面図である。
【図８】同じく、図７におけるVIII−VIII線の転写機構を省略して示す縦断面図である。
【符号の説明】
【００４１】
１    ケース本体
１ａ  前部上面
２    底面
２ａ  前端底面
３Ａ  転写テープ
３Ｂ  塗膜剥離後の転写テープ
４    供給リール
５    第１歯車
５ａ  軸
６    巻取リール
７    第２歯車
７ａ  軸
８    前端開口
９    ヘッド側板
１０  ヘッド部材
１１  水平軸
１２  転写ヘッド
１３  摺動突起
１４  圧縮スプリング
１５  カートリッジ収容ケース本体
１５ａ  前部上面
１５Ａ  ケース分離体
１５Ｂ  ケース分離体
１６  底面
１６ａ  前端底面
１７  装填軸
１８  第１歯車
１９  装填軸
２０  第２歯車
２１  転写カートリッジ
２２  支持基板
２３  供給リール
２４  巻取リール
２５  転写ヘッド
２６  ヘッド部材
２７  摺動突起
２８  圧縮スプリング
２９  転写テープ
３０  ヘッド部材
３０Ａ  前半部
３０Ｂ  後半部
３１  水平軸
３２  水平軸
３３  転写ヘッド
３４  圧縮スプリング
３５  ケース本体
３６  ケース本体
３７  底面
３７ａ  前端底面
３８  圧縮スプリング
３９  突起
４０  摺動板
４０ａ  底面
４１  凹部
Ｐ    紙面（被転写面）
【図１】
2009262347.tif 000003
【図２】
2009262347.tif 000004
【図３】
2009262347.tif 000005
【図４】
2009262347.tif 000006
【図５】
2009262347.tif 000007
【図６】
2009262347.tif 000008
【図７】
2009262347.tif 000009
【図８】
2009262347.tif 000010